(57)【要約】【課題】送電線からの外し忘れを防止できる構造を備えたアース棒を提供すること。【解決手段】操作棒１と、操作棒の先端に付けられ、送電線をクランプ可能なクランプ部２と、クランプ部に一端が電気的に接続され、他端が接地される接地線４と、操作棒に付けられ、クランプ部が送電線から外されたときに読み取られるＲＦＩＤタグ７と、ＲＦＩＤタグ７からの電波を遮蔽する材料からなり、操作棒１の軸方向に沿って移動可能なスライドカバー８とを備えるアーム棒である。操作棒をその軸周りに一方向に回転させることにより、クランプ部が閉じて送電線をクランプ可能になるとともにスライドカバーが一方向に移動してＲＦＩＤタグ７を覆い、操作棒１を反対方向に回転させることにより、クランプ部２が開いて送電線から外し可能になるとともにスライドカバー８が他方向に移動してＲＦＩＤタグ７が露出する。【選択図】図１
0003150941.tif 000002
【実用新案登録請求の範囲】
【請求項１】
操作棒と、
操作棒の先端に付けられ、閉じることにより送電線をクランプ可能で、開くことにより送電線から外し可能なクランプ部と、
クランプ部に一端が電気的に接続され、他端が接地される接地線と、
操作棒に付けられ、クランプ部が送電線から外されたときに読み取られるＲＦＩＤタグと、
操作棒の外周を囲むように付けられ、ＲＦＩＤタグからの電波を遮蔽する材料からなり、操作棒の軸方向に沿って移動可能なスライドカバーとを備え、
操作棒をその軸周りに一方向に回転させることにより、クランプ部が閉じて送電線をクランプ可能になるとともに、スライドカバーが操作棒の軸方向に沿って一方向に移動してＲＦＩＤタグを覆い、
操作棒をその軸周りに他方向に回転させることにより、クランプ部が開いて送電線から外し可能になるとともに、スライドカバーが操作棒の軸方向に沿って他方向に移動してＲＦＩＤタグが露出することを特徴とするアース棒。
【請求項２】
スライドカバーは、操作棒の軸方向に沿って移動可能であるが、操作棒の軸周りには回転不能に付けられるとともに、その内周面に螺旋状のガイド溝が設けられ、
操作棒の外周面にスライドカバーのガイド溝に嵌り込むガイドピンが設けられ、
操作棒をその軸周りに一方向に回転させることにより、スライドカバーのガイド溝が操作棒のガイドピンにガイドされながら、スライドカバーが操作棒の軸方向に沿って一方向に移動し、
操作棒をその軸周りに他方向に回転させることにより、スライドカバーのガイド溝が操作棒のガイドピンにガイドされながら、スライドカバーが操作棒の軸方向に沿って他方向に移動する請求項１に記載のアース棒。
【考案の詳細な説明】
【技術分野】
【０００１】
本考案は、発電所や変電所から引き出されている送電線（裸電線）について送電を停止した区間の送電線の残留電荷を対地に放電させるために使用するアース棒に関するものである。
【背景技術】
【０００２】
発電所や変電所から引き出されている送電線（裸電線）について作業を実施するときは、その作業を実施する区間について遮断器によって送電を停止し、その後、アース棒で接地し当該区間の残留電荷を対地に放電させる。
【０００３】
このアース棒の構成は例えば特許文献１に記載されているが、その基本構成は、操作棒の先端に送電線にクランプするクランプ部を備え、このクランプ部に接地線、接地金具を施し、接地金具を接地することにより、残留電荷を対地に放電させるものである。
【０００４】
作業終了後、アース棒を外し遮断器を投入させ送電を再開することになるが、このときアース棒の外し忘れがあった場合には、重大な電気事故につながる。発電所や変電所における送電線の作業は複数箇所で同時に実施されることもあり、アース棒も複数本使用されるが、アース棒の外し忘れが１箇所でもあると重大な電気事故につながる。このようにアース棒は同時に複数箇所で複数本使用されることから、作業者による人的な確認だけでアース棒の外し忘れを管理することは困難である。このため、アース棒自体の構造によって外し忘れを防止できるようにすることが望まれている。
【先行技術文献】
【特許文献】
【０００５】
【特許文献１】特開平８−３１４７１号公報
【考案の概要】
【考案が解決しようとする課題】
【０００６】
本考案が解決しようとする課題は、送電線からの外し忘れを防止できる構造を備えたアース棒を提供することである。
【課題を解決するための手段】
【０００７】
本考案のアース棒は、操作棒と、操作棒の先端に付けられ、閉じることにより送電線をクランプ可能で、開くことにより送電線から外し可能なクランプ部と、クランプ部に一端が電気的に接続され、他端が接地される接地線と、操作棒に付けられ、クランプ部が送電線から外されたときに読み取られるＲＦＩＤタグ（ＲＦＩＤとは、Radio Frequency Identification の略で、ＲＦＩＤタグは電波を利用した認証（認識）タグである。）と、操作棒の外周を囲むように付けられ、ＲＦＩＤタグからの電波を遮蔽する材料からなり、操作棒の軸方向に沿って移動可能なスライドカバーとを備え、操作棒をその軸周りに一方向に回転させることにより、クランプ部が閉じて送電線をクランプ可能になるとともに、スライドカバーが操作棒の軸方向に沿って一方向に移動してＲＦＩＤタグを覆い、操作棒をその軸周りに他方向に回転させることにより、クランプ部が開いて送電線から外し可能になるとともに、スライドカバーが操作棒の軸方向に沿って他方向に移動してＲＦＩＤタグが露出することを特徴とするものである。
【０００８】
本考案においてスライドカバーを操作棒の軸方向に沿って移動させるためには、スライドカバーの内周面に螺旋状のガイド溝に設けるとともに、当該スライドカバーを、操作棒の軸方向に沿って移動可能であるが、操作棒の軸周りには回転不能に付け、さらに、操作棒の外周面にスライドカバーのガイド溝に嵌り込むガイドピンを設けることができる。すなわち、このような構成で、操作棒をその軸周りに一方向に回転させることにより、スライドカバーのガイド溝が操作棒のガイドピンにガイドされながら、スライドカバーが操作棒の軸方向に沿って一方向に移動し、操作棒をその軸周りに他方向に回転させることにより、スライドカバーのガイド溝が操作棒のガイドピンにガイドされながら、スライドカバーが操作棒の軸方向に沿って他方向に移動する。
【考案の効果】
【０００９】
本考案のアース棒は、クランプ部が閉じて送電線をクランプしている状態の場合、クランプ部が送電線から外されたときに読み取られるＲＦＩＤタグがスライドカバーによって覆われているので、これを読み取ることはできない。一方、クランプ部が開いて送電線から外し可能となった場合には、ＲＦＩＤタグが露出するので読み取り可能となる。すなわち、このＲＦＩＤタグは、クランプ部が開いて送電線から外し可能となった場合にのみ読み取り可能であり、このＲＦＩＤタグが読み取られなければアース棒は送電線から外されていないということになるので、アース棒の外し忘れを確実に防止できる。
【図面の簡単な説明】
【００１０】
【図１】本考案のアース棒を示す側面図であり、（ａ）はクランプ部が開いた状態、（ｂ）はクランプ部が閉じた状態を示す。
【考案を実施するための形態】
【００１１】
以下、図面に示す実施例に基づき本考案の実施の形態を説明する。
【００１２】
図１は、本考案のアース棒を示す断面図であり、（ａ）はクランプ部が開いた状態、（ｂ）はクランプ部が閉じた状態を示す。
【００１３】
図１に示すように、操作棒１の先端に、閉じることにより送電線をクランプ可能で、開くことにより送電線から外し可能なクランプ部２が付けられている。操作棒１は絶縁材からなり、その長さは７００ｍｍ程度である。クランプ部２は金属材からなる。
【００１４】
クランプ部２は、固定片２ａと可動片２ｂとを備え、操作棒１をその軸周りに一方向（時計回り）に回転させると可動片２ｂが前進し、クランプ部２が閉じて送電線をクランプ可能となる（図１（ｂ）の状態）。逆に、操作棒１をその軸周りに他方向（反時計回り）に回転させると可動片２ｂが後退し、クランプ部２が開いて送電線から外し可能となる（図１（ａ）の状態）。実施例では、この操作棒１の回転操作によるクランプ部２の開閉時のガタツキ等を防止するため、操作棒１の先端部分とクランプ部２（固定片２ａ）との間にコイルバネ３を介している。
【００１５】
なお、クランプ部２の構成は、この実施例に限定されるものではない。クランプ部２は、操作棒１をその軸周りに一方向に回転させると閉じて、操作棒１をその軸周りに他方向に回転させると開くような構成であればいかなる構成であっても良い。
【００１６】
クランプ部２には、接地線４の一端が、金属材からなるカラー５を介して電気的に接続されている。接地線４の他端は図示していないが、接地金具を介して接地（対地接続）される。
【００１７】
操作棒１の外周面には、２つのＲＦＩＤタグ６，７が付けられている。このうちＲＦＩＤタグ６は、作業者が作業指示にしたがってアース棒のクランプ部２を送電線に付けて閉じ、送電線をクランプしたときに、その作業の完了を管理システムに伝えるために、図示しないタグリーダーで読み取られるものである。一方、ＲＦＩＤタグ７は、作業者が作業指示にしたがってアース棒のクランプ部２を開き、クランプ部２を送電線から外したときに、その外し作業の完了を管理システムに伝えるために、図示しないタグリーダーで読み取られるものである。
【００１８】
操作棒１には、その外周を囲むように円筒状のスライドカバー８が付けられている。スライドカバー８は上述のＲＦＩＤタグ６，７からの電波を遮蔽する材料（例えばＰＯＭ樹脂（ジュラコン樹脂））からなる。                                                
【００１９】
スライドカバー８は、具体的には、操作棒１の外周側であって操作棒１の軸方向に沿って固定された、絶縁材からなるガイドバー９に支持具１０を介して付けられている。支持具１０はガイドバー９に沿って移動可能であるが、ガイドバー９周りには回転不能になるよう付けられている。これによって、スライドカバー８は、操作棒１の軸方向に沿って移動可能であるが、操作棒１周りには回転不能となっている。また、スライドカバー８の内周面には螺旋状のガイド溝８ａが設けられ、操作棒１の外周面にはスライドカバー８のガイド溝８ａに嵌り込むガイドピン１１が固定されている。
【００２０】
このような構成となり、操作棒１をその軸周りに一方向（時計回り）に回転させると、スライドカバー８のガイド溝８ａが操作棒１のガイドピン１１にガイドされることにより、スライドカバー８が操作棒１の軸方向に沿って一方向（基端側）に移動し、ＲＦＩＤタグ７を覆う（図１（ｂ）の状態）。このときクランプ部２は閉じた状態となる。
【００２１】
一方、操作棒１をその軸周りに他方向（反時計回り）に回転させると、スライドカバー８のガイド溝８ａが操作棒１のガイドピン１１にガイドされることにより、スライドカバー８が操作棒１の軸方向に沿って他方向（先端側）に移動し、ＲＦＩＤタグ７が露出する（図１（ａ）の状態）。このときクランプ部２は開いた状態となる。
【００２２】
以上の構成を有する本考案のアース棒の使用方法を以下に説明する。
【００２３】
遮断器で区画された作業区間の送電線の残留電荷を対地に放電させる場合、作業者は作業指示にしたがい、アース棒を検電後送電線に付ける。具体的には作業者は、クランプ部２が開いた状態（図１（ａ）の状態）としたアース棒の操作棒１の基端部分を持って、クランプ部２を送電線に引っ掛け、操作棒１をその軸周りに一方向（時計回り）に回転させる。これにより、クランプ部２が閉じて送電線がクランプされ、アース棒が送電線に付けられる（図１（ｂ）の状態）。これによって、送電線の残留電荷は、クランプ部２、カラー５及び接地線４を経由して対地に放電される。作業者は、アース棒の付け作業の完了を管理システムに伝えるために、図示しないタグリーダーでＲＦＩＤタグ６を読み取る。なお、このとき、ＲＦＩＤタグ７はスライドカバー８によって覆われており、スライドカバー８はＲＦＩＤタグ７からの電波を遮蔽する材料からなるから、ＲＦＩＤタグ７を読み取ることはできない。
【００２４】
送電線の作業が終了したら、作業者は作業指示にしたがい、アース棒を送電線から外す。具体的には作業者は、操作棒１をその軸周りに他方向（反時計回り）に回転させる。これによりクランプ部２が開いて送電線から外し可能となる（図１（ａ）の状態）。また、クランプ部２が開くのに合わせてスライドカバー８が他方向（先端側）に移動してＲＦＩＤタグ７が露出し、タグリーダーによって読み取り可能となる。作業者は、アース棒の外し作業の完了を管理システムに伝えるために、図示しないタグリーダーでＲＦＩＤタグ７を読み取る。
【００２５】
このように、アース棒の外し作業の完了を管理システムに伝えるために読み取られるＲＦＩＤタグ７は、クランプ部２が開いて送電線から外し可能となった場合にのみ読み取り可能であり、このＲＦＩＤタグ７が読み取られなければアース棒は送電線から外されていないということになるので、アース棒の外し忘れを確実に防止できる。
【符号の説明】
【００２６】
１  操作棒
２  クランプ部
２ａ  固定片
２ｂ  可動片
３  コイルバネ
４  接地線
５  カラー
６，７  ＲＦＩＤタグ
８  スライドカバー
８ａ  ガイド溝
９  ガイドバー
１０  支持具
１１  ガイドピン
【図１】
0003150941.tif 000003